(57)【特許請求の範囲】
【請求項１】
筐体の外周に沿って複数のホッパが設けられた組合せ計量装置において、
前記筐体が上下に少なくとも２つに分割され、下側の分割筐体が上側の分割筐体からワイヤによって吊り下げ支持し上側の分割筐体に設けられたウインチで上下動させて上側の分割筐体と下側の分割筐体間を開閉可能にしたことを特徴とする組合せ計量装置。
【請求項２】
前記下側の分割筐体を吊り下げ支持する前記複数のワイヤの下端部が、それぞれ付勢手段を介して前記下側の分割筐体に取付けられた請求項１記載の組合せ計量装置。
【請求項３】
前記上側の筐体に操作用の穴が設けられ、該穴から操作具を差し込んで前記ウインチを操作して前記下側の筐体を上下動操作できるようにした請求項１記載の組合せ計量装置。
【請求項４】
前記ウインチが外部からの操作で回転する回転軸を備え、該回転軸の回転量に応じて回転軸の軸方向に移動する移動体を設けると共に、該移動体の移動範囲を規制する規制体を設けて前記ウインチによる巻き上げ量あるいは巻き下げ量を規制するようにした請求項３記載の組合せ計量装置。
【請求項５】
筐体の外周に沿って複数のホッパが設けられた組合せ計量装置において、
前記筐体が上下に少なくとも２つに分割され、上側の分割筐体から下方へ軸が突設され、該軸に沿って下側の分割筐体が上下動可能に取付けられて上側の分割筐体と下側の分割筐体間を開閉可能にした組合せ計量装置。
【請求項６】
筐体の外周に沿って複数のホッパが設けられた組合せ計量装置において、
前記筐体が上下に少なくとも２つに分割され、上側の分割筐体から下方へネジ面が設けられた円柱が突設され、下側の分割筐体が該円柱に螺着されて、下側の分割筐体を回転させることによって前記円柱に沿って上下動可能にして上側の分割筐体と下側の分割筐体間を開閉可能にした組合せ計量装置。
【発明の詳細な説明】
【０００１】
本発明は組合せ計量装置に関する。
【発明の属する技術分野】
【０００２】
【従来の技術】
例えば、ポテトチップ、ピーナッツ、果物、ソーセージなどのように個々の質量が均一でない物品を所定質量分あるいはそれに近い質量分をひとまとめにして袋詰めなどをするために、従来より組合せ計量装置が用いられている。
【０００３】
この組合せ計量装置は、中央の分散テーブルの周りに放射状に放射フィーダを設け、各放射フィーダの先端下方にそれぞれストックホッパ、計量ホッパなどを上下に配置し、下方に集合シュートを設けたものであって、コンベヤなどで被計量物を分散テーブルに供給し、分散テーブルから供給された被計量物を多数の放射フィーダで各ストックホッパに供給し、各ストックホッパから供給された被計量物の質量を各計量ホッパごとに計量する。そして、複数の計量ホッパ内の被計量物の質量を組合せ加算して、所定質量あるいはそれに近い組合せを選んで、集合シュートに落下させてひとまとめにし、包装機などの次工程へ送り出している。
【０００４】
しかして、このような組合せ計量装置は、一般に図１５に示すように、中央に筐体１を設けて、この筐体１の上方に分散テーブル２及び多数の放射フィーダ３、３、…を設け、筐体１の下方に集合シュート４を設けると共に、筐体１の外周に沿って円周方向に多数のストックホッパ５、５、…を設け、各ストックホッパ５の下方に対応する計量ホッパ６、及びメモリホッパ７をそれぞれ上下に設けている。
【０００５】
そして、従来では、この筐体１を、図１５に示すように、円周方向に配置されるホッパの数に対応した平板状の側壁１ａを有する多角形の中空柱状に構成し、各側壁１ａごとに矩形の窓８を設けている。
【０００６】
そして、多角形状の筐体１の各側壁１ａの外側から矩形平板状の取付け板９を取外し可能に固定してこの窓８を塞ぐと共に、各取付け板９をその外側にホッパ５、６、７を上下に取付け、取付け板９の内側に各ホッパ５、６、７の排出口の開閉蓋（図示せず）を開閉駆動するための駆動源であるモータ１１を上下に各ホッパ５、６、７ごとに取付け、また計量ホッパ６のための計量器１２を取付け、各ホッパ５、６、７に対応して取付け板９に設けた穴（図示せず）から、モータ１１で駆動される開閉蓋駆動用のレバーなどを外方へ突出させた構造となっている。そして、モータ１１や計量器１２などの点検やメンテナンスの際には、取付け板９を外して、取付け板９と共にモータ１１や計量器１２を外方へ引き出していた。
【０００７】
【発明が解決しようとする課題】
しかして、被計量物が特に食品である場合、極めて高速に開閉蓋が開閉駆動され、被計量物が激しく落下、排出されるこのような組合せ計量装置にあっては、供給落下される被計量物の微粉飛沫が長期使用中にホッパや筐体などの組合せ計量装置全体に次第に付着堆積して組合せ動作に支障を来したり、あるいは各部に付着堆積した被計量物に細菌が繁殖したり腐敗したりするおそれがあるため、しばしば組合せ計量装置全体を水洗いなどの方法で清掃する必要がある。
【０００８】
しかるに、前記したように従来の組合せ計量では、図１５に示すように筐体１の側壁１ａに上下３つのホッパ５、６、７に対応するモータ１１、１１、１１や計量器１２を出し入れするために大きな窓８が必要であって、この窓８を外側から塞ぐために取付け板９で覆う構造となっているため、取付け板９の外周端面と側壁１ａとの接合部分に被計量物が付着堆積しやすく、付着堆積した被計量物の細菌繁殖や腐敗などを生じやすく、また複雑な構成のため清掃もしにくく、食品衛生を損なうおそれがあり、著しく不都合であるばかりでなく、水洗い洗浄する際に、取付け板９の外周端面と側壁１ａとの間を伝わって窓８内に水が浸入しやすく、内部のモータ１１や計量器１２が使用不能となるおそれもあった。
【０００９】
また、筐体１内のモータ１１や計量器１２の点検やメンテナンスの際には、前記したように取付け板９を取り外して取付け板９と共にモータ１１や計量器１２を外方へ引き出さねばならないため、大変煩雑であった。
【００１０】
本発明はこのような問題を解決した組合せ計量装置を提供することを目的としている。
【００１１】
【課題を解決するための手段】
前記目的を達成するために本発明の請求項１の組合せ計量装置では、
筐体の外周に沿って複数のホッパが設けられた組合せ計量装置において、
前記筐体が上下に少なくとも２つに分割され、下側の分割筐体が上側の分割筐体からワイヤによって吊り下げ支持し上側の分割筐体に設けられたウインチで上下動させて上側の分割筐体と下側の分割筐体間を開閉可能にしている。
【００１２】
このように筐体を上下に分割し、上下動させてその間を開閉できるようにしたので、筐体の上下に分割された開口面から筐体内部の駆動源や計量器を出し入れできるので、筐体自身には駆動源や計量器を出し入れするための大きな寸法の穴を設ける必要がなくなり、開閉蓋の開閉駆動のためのレバーが通る極めて小さな穴だけで済む。
【００１３】
このため、大きな穴を塞ぐための取付け板を取付ける必要もなくなり構造が簡単となるので、被計量物の付着堆積も少なくなって衛生面でも格段に向上し、また、洗浄の際の防水性も格段に向上する。
【００１４】
また、筐体内部の駆動源や計量器などの点検やメンテナンスの際に取付け板などの着脱などの煩雑な作業が不要となり、単に分割筐体を上下動させるだけでよいので、点検やメンテナンスが著しく簡単になる。
【００１５】
また、本発明の請求項１の組合せ計量装置では、ワイヤで吊り下げた下側の分割筐体をウインチで巻き上げたり、下げたりすることによって極めて簡単に分割された筐体を開閉することができる。
【００１６】
また、本発明の請求項２の組合せ計量装置では、
前記下側の分割筐体を吊り下げ支持する前記複数のワイヤの下端部が、それぞれ付勢手段を介して前記下側の分割筐体に取付けられている。
このため、下側の分割筐体を吊り下げる複数のワイヤによる引張力の固体差が、各ワイヤの下端に設けた付勢手段によって吸収される。また、ウインチによる巻き上げや下げの停止の際の衝撃も吸収される。
【００１７】
また、本発明の請求項３の組合せ計量装置では
前記上側の筐体に操作用の穴が設けられ、該穴から操作具を差し込んで前記ウインチを操作して前記下側の筐体を上下動操作できるようにしている。
このため、外部から簡単に筐体を上下に開閉させることができる。
【００１８】
また、本発明の請求項４の組合せ計量装置では、
前記ウインチが外部からの操作で回転する回転軸を備え、該回転軸の回転量に応じて回転軸の軸方向に移動する移動体を設けると共に、該移動体の移動範囲を規制する規制体を設けて前記ウインチによる巻き上げ量あるいは巻き下げ量を規制するようにしているので、ウインチによる下側の分割筐体の巻き上げ、下げの範囲が自動的に決定される。
【００１９】
また、本発明の請求項５の組合せ計量装置では、
筐体の外周に沿って複数のホッパが設けられた組合せ計量装置において、
前記筐体が上下に少なくとも２つに分割され、上側の分割筐体から下方へ軸が突設され、該軸に沿って下側の分割筐体が上下動可能に取付けられて上側の分割筐体と下側の分割筐体間を開閉可能にしている。
このため、下側の分割筐体を前記軸に沿って上下動させて簡単に上下に筐体を開閉でき、筐体内部の駆動源や計量器の点検やメンテナンスが容易になる。
【００２０】
また、本発明の請求項６の組合せ計量装置では、
筐体の外周に沿って複数のホッパが設けられた組合せ計量装置において、
前記筐体が上下に少なくとも２つに分割され、上側の分割筐体から下方へネジ面が設けられた円柱が突設され、下側の分割筐体が該円柱に螺着されて、下側の分割筐体を回転させることによって前記円柱に沿って上下動可能にして上側の分割筐体と下側の分割筐体間を開閉可能にしている。
このため、下側の分割筐体を回転させることによって前記円柱に沿って上下動させて簡単に上下に筐体を開閉でき、筐体内部の駆動源や計量器の点検やメンテナンスが容易になる。
【００２１】
【発明の実施の形態】
以下、図面に基づいて本発明の実施の形態を説明する。
図１〜３は本発明の一実施形態の組合せ計量装置を示している。
図１〜３に示すように、筐体２０は上下２つに分割され、上下に開口し下側が僅かに小径となったヘッド数に対応した多角形筒状の本体（第１の分割筐体）２１と、この本体２１の下面開口部から上端部が僅かに挿入される状態で、掛止鉤２４と掛止操作具２５によって固定された、上面が開口した多角形皿状の底皿体（第２の分割筐体）２３とから成る。
【００２２】
前記本体２１は多角形を構成する下側が幅が狭くなった平板状の複数の側壁２１ａ、２１ａ、…で構成され、また、底皿体２３は多角形を構成する下側が幅が狭くなった平板状の側壁２３ａ、２３ａ、…と、多角形平板状の底板２３ｂとで構成されている。
【００２３】
図４に示すように、４本の垂直な支柱３０、３０、…の上端の、断面が中空四角形の各水平部３０ａ、３０ａ、…が、筐体２０の本体２１の側壁２１ａに貫入し、この貫入部で固定されることによって、４本の支柱３０、３０、…で本体２１が支持されている。
【００２４】
前記４本の水平部３０ａ、３０ａ、…は本体２１の中央で井桁状に互いに直交して互いに連結固定されている。４本の支柱３０、３０、…の下部は、水平フレーム３１、３１、…によって互いに連結固定されている。
【００２５】
本体２１の上面開口部に上蓋４０が取付けられている。上蓋４０の多角形の板部４１の外周には、前記本体２１の上端を僅かな間隔で外側から囲むように外周縁部４２が下方へ突設されている。
【００２６】
複数箇所において、上蓋４０の外周縁部４２には掛止鉤４３が設けられ、筐体本体２１の周壁部２２上端には、この掛止鉤４３を掛止めする掛止操作具４４が設けられている。この掛止操作具４４を操作して掛止鉤４３を外して、蓋体４０を筐体本体２１から上方へ持ち上げて外すことができる。
【００２７】
上蓋４０の板部４１の中央には、上方へ球面状に膨らんだ球面部４５が設けられている。
球面部４５の中央には、円形の穴４６が設けられ、球面部４５の外周の板部４１には、円周方向に複数の円形の穴４７、４７、…が等間隔で設けられている。
【００２８】
本体２１の内部で十文字状に接合された４つの支柱３０、３０、…の水平部３０ａ、３３ａ、…の上面に、多角形板状の基板５０が溶接などの適宜手段で固定されている。上蓋４０の中央の穴４６に対応して、前記基板５０の中央上面に回転駆動用モータ５１が取付けられていて、回転駆動用モータ５１の回転軸５１ａは上蓋４０の中央の穴４６から上方へ突出している。この回転軸５１ａの上端に、円形傘形の分散テーブル５２が取外し可能に取付けられていて、回転軸５１ａと一体的に回転する。
【００２９】
上蓋４０の板部４１の円筒方向に等間隔で配列された各穴４７に対応して、前記基板５０の上面に円周方向に並んでそれぞれ振動器５３が取付けられている。各振動器５３の振動軸５３ａは上蓋４０の板部４１の各穴４７から上方へ突出していて、中央の分散テーブル５２から落下供給された被計量物を受ける放射フィーダ５４（図では右側の１つだけを図示している）が、分散テーブル５２を囲んで放射状に、各振動軸５３ａの上端に取外し可能に取付けられていて、各放射フィーダ５４に分散テーブル５２から落下供給された被計量物は各放射フィーダ５４の振動によって放射方向の外方へと順次進行してその先端から落下する。
【００３０】
本体２１の各側壁部２２には、前記支柱３０、３０、…の水平部３０ａ、３０ａ、…より上側及び下側において円周方向に等間隔に前記各放射フィーダ５４、５４、…に対応して配置された円形のアーム挿通用の穴５５、５６が上下２段に設けられている。
【００３１】
上側の各アーム挿通用の穴５５に対応して、前記基板５０の上面には、アーム支持板５７が立設され、各アーム支持板５７の外面には、ストックホッパ６０を支持し且つその開閉蓋を開閉するための中空状のホッパ支持腕５８が、筐体本体２１の各アーム挿通用の穴５５から外方へ放射状に突出するように固定されている。
アーム挿通穴５５とホッパ支持腕５８の隙間をゴムパッキン６２が取付けられている。
【００３２】
各アーム支持板５７の内面には、中空のホッパ支持腕から突出した駆動レバーを駆動してストックホッパ６０の開閉蓋の開閉駆動のための開閉駆動用モータ６１が取付けられている。
【００３３】
図３及び図４に示すように、筐体本体２１の内部で十文字状に接合された４つの支柱３０、３０、…の水平部３０ａ、３０ａ、…の下面に、多角形板状の基板７０が溶接などの適宜手段で固定されている。この基板７０の下面中央に、計量器支持台７１が固定されている。
【００３４】
計量器支持台７１の外面に、下側の各アーム挿通穴５６に対応してロードセル（計量器）７２が片持ち梁状に取付けられ、各ロードセル（計量器）７２の自由端には、アーム支持板７３が固定されている。
【００３５】
このアーム支持板７３の外面には、計量ホッパ７４を支持し且つその開閉蓋を開閉するための中空状のホッパ支持腕７５が、下側の各アーム挿通穴５６から外方へ放射状に突出するように固定されている。アーム支持板７３の内面には、ホッパ支持腕７５が突出した駆動レバーを駆動する開閉駆動用モータ７６が取付けられている。
【００３６】
なお、この下側のアーム挿通穴５６とホッパ支持腕７５との隙間から被計量物や洗浄時の水が浸入しないように、ゴムパッキン７７が固定されている。このゴムパッキン７７は計量ホッパ７４への被計量物の投入、排出によるホッパ支持腕７５の動きを妨げないように構成されている。
底皿体（第２の分割筐体）２３の各側壁２３ａには、円周方向に並んでアーム挿通用の穴８０、８０、…が設けられている。
【００３７】
底皿体２３の側壁２３ａの内面に固定されたアーム支持板８１の外面には、メモリホッパ８２を支持し且つその開閉蓋を開閉するための中空状のホッパ支持腕８３が、各アーム挿通用の穴８０、８０、…から外方へ放射状に突出するように固定されている。
【００３８】
ホッパ支持腕８３とアーム挿通用の穴８０との隙間にゴムパッキン８４が取付けられている。
各アーム支持板８１の内面には、中空のホッパ支持腕８３から突出した駆動レバーを駆動する開閉駆動用モータ８５が取付けられている。
【００３９】
円周方向の複数箇所において、筐体本体２１の下端外面には掛止鉤２４が設けられ、底皿体２３の上端外面には、この掛止鉤２４を掛止めする掛止操作具２５が設けられていて、図３に示すように、掛止鉤２４を掛止操作具２５で掛止めることによって、筐体本体２１の下端開口部の内側に底皿体２３の上端が僅かな間隙で収容された状態で筐体本体２１に底皿体２３が固定される。そして、この掛止操作具２５を操作して掛止鉤２４から外して、底皿体２３を筐体本体２１からウインチユニット９０によって下方へ下降させたり、上昇させたりすることができる。
【００４０】
図３及び図４に示すように、本体２１の内部の多角形板状の前記基板７０には張出部７０ａが設けられ、この張出部７０ａの上面にウインチユニット９０が取付けられている。
【００４１】
ウインチユニット９０は、図５及び図６に示すように、上板９１ａと４つの側面９１ｂ、９１ｃ、９１ｄ、９１ｅからなる底面が開口した長方体箱状のケース９１と、この開口面を塞ぐように取付けられた底板９２とを備えている。
【００４２】
前記底板９２とケース９１の上板９１ａ間に上下方向の軸９３が固定され、この軸９３には、下端側においてボビン９４が、その上方においてウォームホイール９５が回動自在に取付けられ、ボビン９４とウォームホイール９５は一体的に回転するようにピン９６によって互いに連結されている。
【００４３】
ケース９１の対向する２つの側板９１ｂ、９１ｄに垂直に、水平方向の回転軸９８が回動自在に取付けられている。この回転軸９８には、前記ウォームホイール９５と噛合するウォーム９９が回転軸９８と一体的に回転するようにピン１００によって連結されている。
【００４４】
回転軸９８の一端は、ケース９１の前面側の側板９１ｂの穴から前方へ突出していて、この回転軸９８の前端面から、六角形の操作穴１０１が軸中心に沿って穿設されている。
【００４５】
筐体２０の本体２１の側壁２１ａには、この突出した回転軸９８に対応して操作穴１０２が設けてある。操作穴１０２の内側にはナット１０３が固定され、外側からネジ蓋１０４をこのナット１０３に螺着することによって通常は操作穴１０２は防水などの目的のため塞がれている。
【００４６】
このネジ蓋１０４を外し、Ｔ型レンチなどの六角柱状の先端部を、このウインチユニットの回転軸９８の六角形の操作穴１０１に差し込んで回転軸９８を回転させることができ、これによってウォーム９９とウォームホイール９５を介して前記ボビン９４を回転させることができる。
【００４７】
ケース９１の対向する２つの側板９１ｃ、９１ｅの下部のボビン９４に対応した位置にはそれぞれ２つずつ穴が設けられ、各穴にワイヤチューブ１１０の一端１１０ａが固定されている。
【００４８】
図８に示すように、ワイヤチューブ１１０内にはワイヤ１１１が通されていて、ワイヤ１１１の一端には、球体１１２ａが固定されている。
ボビン９４には、上下端に円形のフランジ９４ａ、９４ｂが設けられ、図８〜１０に示すように、互いにボビン９４の中心からずれた互いに平行な直線方向に２本の長溝１１５ａ、１１５ｂが一方のフランジから上下方向に設けられ、各長溝１１５ａ、１１５ｂの先端には、それぞれワイヤ１１１、１１１の先端の球体１１２ａ、１１２ａが嵌合してワイヤ１１１が抜けないようにする円形溝１１６ａ、１１６ｂが設けてある。
【００４９】
一方の側板９１ｅ側の２本のワイヤチューブ端部１１０ａ、１１０ａを通りボビン９４に巻き付けられた２本のワイヤ１１１、１１１の端部は、一方の長溝１１５ａに収容されて球体１１２ａ、１１２ａが円形溝１１６ａに嵌合して固定され、他側の側板９１ｃ側の２本のワイヤチューブ端部１１０ａ、１１０ａをボビン９４に巻き付けられた２本のワイヤ１１１、１１１の端部は他方の長溝１１５ｂに収容されて球体１１２が円形溝１１６ｂに嵌合して固定されている。
【００５０】
図４及び図１１に示すように、前記４本の支柱３０、３０、…の各水平部３０ａ、３０ａ、…の下面にワイヤチューブ固定板１２０、１２０、…がそれぞれ固定され、各ワイヤチューブ固定板１２０の穴に前記各ワイヤチューブ１１０の他端１１０ｂが固定されている。ワイヤチューブ１１０は底皿体などの重みで屈曲しない剛体で構成されていて、内部のワイヤ１１１はこのワイヤチューブ１１０の湾曲に沿って通っている。
【００５１】
なお、ワイヤチューブ１１０に剛性でないものを用いる場合には、ウインチケース９１からワイヤチューブ固定板１２０に到るまでワイヤチューブ１１０を折れ線状に配線して折れ曲がり部には、本体２１の側壁２１ａや支柱水平部３０ａにローラ（図示せず）を回動自在に設けて、ローラで折れ曲がり部を支えるようにすればよい。
【００５２】
図１１に示すように、底皿体２３の上端の側壁２３ａの内面には、各ワイヤチューブ固定板１２０に対応して４つのワイヤアングル１２１が固定されている。
ワイヤアングル１２１の水平部１２１ａにはワイヤ挿通穴が設けてあり、ワイヤチューブ固定板１２０のワイヤチューブ端部１１０ｂから鉛直方向に吊り下がったワイヤ１１１の下端が、このワイヤ挿通穴から下方へ挿通されている。
【００５３】
ワイヤ１１１の下端には球体１１２ｂが固定されている。この球体１１２ｂが抜けないようにコ字状のストッパ１２２がワイヤ１１１の下端に設けられている。そして、下端部がこのストッパ１２２に接触し上端部がワイヤアングル１２１の水平部１２１ａの下面に接触した状態でコイルスプリング１２３内をワイヤ１１１の下端が通るように、コイルスプリング１２３が設けられている。
【００５４】
このように４本の各ワイヤ１１１の下端にすべてコイルスプリング（付勢手段）１２３がストッパ１２２とワイヤアングル１２１の水平部１２１ａ間に接触するように設けてあるため、４本のワイヤ１１１、１１１、…で底皿体２３を吊り下げた状態における４本のワイヤの吊り下げ緊張度のバラツキを吸収し、また、吊り下げ停止直後のワイヤに加わる衝撃を緩和している。
【００５５】
従って、掛止鉤２４を掛止操作具２５から外して、レンチでウインチユニット９０の回転軸９８を回転させてボビン９４に巻き付けられた４本のワイヤ１１１を巻きほどくことによって底皿体２３を下降させることができ、また、レンチで逆方向に回転軸９８を回転させて底皿体２３を上昇させることができる。
【００５６】
なお、図５、６に示すように、前記回転軸９８の前記ウォーム９９より側板９１ｄ側にはネジ面９８ａが設けられ、一方側へ長い板ナット１２５が螺着されている。このため、レンチで一方向に回転軸９８を回転させると、板ナット１２５の先端は上板９１ａあるいは側板９１ｅに接触して回転不能となるため、板ナット（規制体）１２５は次第に回転軸９８に沿っていずれか一方側へ移動して回転軸９８の段部９８ｂあるいは９８ｃに接触する。このためそれ以上回転軸９８をレンチで回転操作することが不可能になる。これによって底皿体２３の所定距離以上の下降及び上昇がなされないように規制されている。
【００５７】
図２に示すように、前記ホッパ支持腕５８、７５、８３には、それぞれストックホッパ６０、計量ホッパ７４、メモリホッパ８２が取外し可能に取付けられ、放射フィーダ５４の先端から落下する被計量物がストックホッパ６０へ供給され、ストックホッパ６０から計量ホッパ７４へ供給され、計量ホッパ７４からメモリホッパ８２へ供給される。
【００５８】
筐体２０の下方において、前記水平フレーム３１、３１、…によって円形漏斗状の集合シュート１３０が取付けられ、各メモリホッパ８２に取外し可能に案内シュート１３１が取付けられていて、組合せに選ばれた複数のメモリホッパ７４、…からの被計量物が案内シュート１３１を通って集合シュート１３０へ落下する（なお図ではホッパ支持腕、ホッパ、案内シュートなどをそれぞれ右側の１個だけ示している。）。
【００５９】
このような構造であるから、分散テーブル５２及び放射フィーダ５４を外し、掛止鉤５４から掛止操作具４４を外して、上蓋４０を筐体２０の本体２１から外すことによって、本体２１の上端開口部から本体２１内部のモータ５１、モータ６１、振動器５３の保守、点検、交換などの作業をすることができる。
【００６０】
また、少なくとも案内シュート１３１（図２）を外して、掛止鉤２４から掛止操作具２５を外し、ネジ蓋１０４（図１、２、７）を外して、レンチをウインチユニット９０の回転軸９８の操作穴へ差し込んで回転軸９８を回転させることによって、底皿体２３を下降させることによって、本体２１の下端開口部から本体２１内部の計量器７２、モータ７６などの保守、点検、交換などの作業をすることができ、また、底皿体２３の上端開口部から底皿体２３内部のモータ８５などの保守、点検、交換などの作業をすることができる。
【００６１】
なお、前記実施形態では、上側の分割筐体から下側の分割筐体をワイヤで吊り下げて昇降させる構造を例示したが、図１２に示すように、上側の分割筐体２０Ａ内の支柱３０の水平部３０ａから下方へ軸１４０を垂設し、下側の分割筐体２０Ｂをこの軸１４０に沿って上下動させるようにしてもよい。例えば底板２３ｂから上方へ受け軸１４１を突設し、軸１４０を受け軸１４１の穴１４１ａに摺動自在に嵌合させてもよい。
【００６２】
また、図１３に示すように、上側の分割筐体２０Ａから下方へネジ面が外周に形成された円柱１５０を垂設し、下側の分割筐体２０Ｂがこの円柱１５０に螺着されていて、下側の分割筐体２０Ｂを回転させることによって上下に筐体を開くことができるようにしてもよい。例えば下側の分割筐体２０Ｂの底板２３ｂから上方へ突設した内ネジ面を有するパイプ１５１を円柱１５０に螺着させて、回転によって円柱１５０に沿って上下動させることができる。
【００６３】
なお、前記実施形態では筐体２０を上下に２つに分割した場合を例示したが、図１４に示すように上下に３つ２０Ａ、２０Ｂ、２０Ｃに、あるいは３つ以上に分割してもよい。
【００６４】
【発明の効果】
以上のように本発明の請求項１の組合せ計量装置では、
筐体の外周に沿って複数のホッパが設けられた組合せ計量装置において、
前記筐体が上下に少なくとも２つに分割され、下側の分割筐体が上側の分割筐体からワイヤによって吊り下げ支持し上側の分割筐体に設けられたウインチで上下動させて上側の分割筐体と下側の分割筐体間を開閉可能にしている。
【００６５】
このように筐体を上下に分割し、上下動させてその間を開閉できるようにしたので、筐体の上下に分割された開口面から筐体内部の駆動源や計量器を出し入れできるので、筐体自身には駆動源や計量器を出し入れするための大きな寸法の穴を設ける必要がなくなり、開閉蓋の開閉駆動のためのレバーが通る極めて小さな穴だけで済む。
【００６６】
このため、大きな穴を塞ぐための取付け板を取付ける必要もなくなり構造が簡単となるので、被計量物の付着堆積も少なくなって衛生面でも格段に向上し、また、洗浄の際の防水性も格段に向上する。
【００６７】
また、筐体内部の駆動源や計量器などの点検やメンテナンスの際に取付け板などの着脱などの煩雑な作業が不要となり、単に分割筐体を上下動させるだけでよいので、点検やメンテナンスが著しく簡単になる。
【００６８】
特に、請求項１の組合せ計量装置では、ワイヤで吊り下げた下側の分割筐体をウインチで巻き上げたり、下げたりすることによって極めて簡単に分割された筐体を開閉することができる。
【００６９】
また、請求項２の組合せ計量装置では、
前記下側の分割筐体を吊り下げ支持する前記複数のワイヤの下端部が、それぞれ付勢手段を介して前記下側の分割筐体に取付けられている。
このため、下側の分割筐体を吊り下げる複数のワイヤによる引張力の固体差が、各ワイヤの下端に設けた付勢手段によって吸収される。また、ウインチによる巻き上げや下げの停止の際の衝撃も吸収される。
【００７０】
また、請求項３の組合せ計量装置では
前記上側の筐体に操作用の穴が設けられ、該穴から操作具を差し込んで前記ウインチを操作して前記下側の筐体を上下動操作できるようにしている。
このため、外部から簡単に筐体を上下に開閉させることができる。
【００７１】
また、請求項４の組合せ計量装置では、
前記ウインチが外部からの操作で回転する回転軸を備え、該回転軸の回転量に応じて回転軸の軸方向に移動する移動体を設けると共に、該移動体の移動範囲を規制する規制体を設けて前記ウインチによる巻き上げ量あるいは巻き下げ量を規制するようにしているので、ウインチによる下側の分割筐体の巻き上げ、下げの範囲が自動的に決定される。
【００７２】
また、請求項５の組合せ計量装置では、
筐体の外周に沿って複数のホッパが設けられた組合せ計量装置において、
前記筐体が上下に少なくとも２つに分割され、上側の分割筐体から下方へ軸が突設され、該軸に沿って下側の分割筐体が上下動可能に取付けられて上側の分割筐体と下側の分割筐体間を開閉可能にしている。
このため、下側の分割筐体を前記軸に沿って上下動させて簡単に上下に筐体を開閉でき、筐体内部の駆動源や計量器の点検やメンテナンスが容易になる。
【００７３】
また、請求項６の組合せ計量装置では、
筐体の外周に沿って複数のホッパが設けられた組合せ計量装置において、
前記筐体が上下に少なくとも２つに分割され、上側の分割筐体から下方へネジ面が設けられた円柱が突設され、下側の分割筐体が該円柱に螺着されて、下側の分割筐体を回転させることによって前記円柱に沿って上下動可能にして上側の分割筐体と下側の分割筐体間を開閉可能にしている。
このため、下側の分割筐体を回転させることによって前記円柱に沿って上下動させて簡単に上下に筐体を開閉でき、筐体内部の駆動源や計量器の点検やメンテナンスが容易になる。
【図面の簡単な説明】
【図１】本発明の一実施形態を示す正面図
【図２】同実施形態の概略正面図
【図３】同実施形態の要部を示す一部を破断して描いた正面図
【図４】同実施形態の要部を示す平面図
【図５】同実施形態のウインチユニットを示す縦断面図
【図６】図５の水平断面図
【図７】同実施形態の回転軸操作の要部を示す断面図
【図８】ボビンとワイヤ端部の関係を示す斜視図
【図９】ボビンを示す平面図
【図１０】ボビンとワイヤ端部の関係を示す平面図
【図１１】ワイヤによる吊り下げ状態を示す要部の一部を破断して描いた正面図
【図１２】本発明の他の実施形態の概略構成図
【図１３】本発明の他の実施形態の概略構成図
【図１４】本発明の他の実施形態の概略構成図
【図１５】従来装置の要部の概略構成図
【符号の説明】
２０  筐体
２１  本体（第１の分割筐体）
２３  底皿体（第２の分割筐体）
３０ａ  水平部
４０  上蓋
９０  ウインチユニット
１１０  ワイヤチューブ
１１１  ワイヤ
１２０  ワイヤチューブ固定板
１２１  ワイヤアングル
１２２  ストッパ
１２３  コイルスプリング（付勢手段）
【図１】
0004008194.tif 000002
【図２】
0004008194.tif 000003
【図３】
0004008194.tif 000004
【図４】
0004008194.tif 000005
【図５】
0004008194.tif 000006
【図６】
0004008194.tif 000007
【図７】
0004008194.tif 000008
【図８】
0004008194.tif 000009
【図９】
0004008194.tif 000010
【図１０】
0004008194.tif 000011
【図１１】
0004008194.tif 000012
【図１２】
0004008194.tif 000013
【図１３】
0004008194.tif 000014
【図１４】
0004008194.tif 000015
【図１５】
0004008194.tif 000016